(57)【要約】【課題】本発明は、極めて商品価値の高い画期的な屋根材取外し装置を提供することを目的とするものである。【解決手段】釘，ビス若しくはネジなどの刺入固定部材20により野地板などの屋根下地材１に設けられた屋根材２を取り外すための屋根材取外し装置であって、握持棒体３の先端部に、前記屋根下地材１に縦設若しくは横設された前記屋根材２の重合部分２ａの下側に挿入する第一面部４及び上側に配設する第二面部５を有し、この第一面部４と第二面部５とは開閉自在に設けられ、この第一面部４と第二面部５を閉じた際には前記屋根材２の重合部分２ａが該第一面部４及び第二面部５により挟持されるように構成されたものである。【選択図】図１
2015040419.tif 000002
【特許請求の範囲】
【請求項１】
釘，ビス若しくはネジなどの刺入固定部材により野地板などの屋根下地材に設けられた屋根材を取り外すための屋根材取外し装置であって、握持棒体の先端部に、前記屋根下地材に縦設若しくは横設された前記屋根材の重合部分の下側に挿入する第一面部及び上側に配設する第二面部を有し、この第一面部と第二面部とは開閉自在に設けられ、この第一面部と第二面部を閉じた際には前記屋根材の重合部分が該第一面部及び第二面部により挟持されるように構成されており、更に、この第一面部と第二面部とを開放方向に付勢する付勢部が設けられ、前記第一面部と前記第二面部とで前記屋根材の重合部分を挟持し、前記握持棒体をテコ作動させて当該屋根材を前記屋根下地材から引き離すことで、前記刺入固定部材を前記屋根下地材から引き抜きながら前記屋根材を当該屋根下地材から取り外すことができるように構成されていることを特徴とする屋根材取外し装置。
【請求項２】
請求項１記載の屋根材取外し装置において、前記屋根材の重合部分は、前記屋根材の所定位置に形成された折り返し部分であることを特徴とする屋根材取外し装置。
【請求項３】
請求項１，２いずれか１項に記載の屋根材取外し装置において、前記屋根材は複数枚を連設したものであることを特徴とする屋根材取外し装置。
【請求項４】
請求項１〜３いずれか１項に記載の屋根材取外し装置において、前記第一面部は板状体で構成されており、この第一面部の前端縁部は先鋭形状に設けられていることを特徴とする屋根材取外し装置。
【請求項５】
請求項１〜４いずれか１項に記載の屋根材取外し装置において、前記第二面部の前記第一面部と対向する面には突起部が設けられていることを特徴とする屋根材取外し装置。
【請求項６】
請求項１〜５いずれか１項に記載の屋根材取外し装置において、前記第二面部は前記第一面部に枢着されており、また、前記第一面部は前記握持棒体に枢着されており、前記握持棒体には、前記第一面部に対して前記握持棒体を擺動させた際、前記第二面部を押圧して擺動させ、この第二面部と前記第一面部とを閉じ動せしめる押圧部が設けられていることを特徴とする屋根材取外し装置。
【発明の詳細な説明】
【技術分野】
【０００１】
本発明は、屋根材を屋根下地材から取り外すための屋根材取外し装置に関するものである。
【背景技術】
【０００２】
従来から、釘，ビス若しくはネジなどの刺入固定部材により野地板などの屋根下地材に設けられた屋根材（横葺き屋根材）を取り外すためのものとして、例えば特開２００８−１３８４２８号に開示のような屋根材取外し具（以下、従来例）が提案されている。
【０００３】
この従来例は、金属製の棒材を屈曲形成したＬ字形状体であり、屈曲部よりも先端側の屈曲先端部分を、屋根材に折り返し形成された重合部分の下側に挿入し、基端側の握持部を握って屈曲部を支点にテコ作動させると、屋根材が屋根下地材から引き離されることで刺入固定部材が屋根下地材から引き抜かれ、そのまま屋根材を屋根下地材から取り外すことができる。
【先行技術文献】
【特許文献】
【０００４】
【特許文献１】特開２００８−１３８４２８号公報
【発明の概要】
【発明が解決しようとする課題】
【０００５】
ところで、前述した屋根材の取外し作業を行う場合、屋根材を屋根下地材から引き離すことで刺入固定部材を屋根下地材から良好に引き抜くためには、重合部分の下側にしてこの刺入固定部材の近傍に屈曲先端部分を挿入し、引動することが望ましいが、従来例は、屈曲先端部分を屋根材の重合部分の下側にのみ挿入する構造であり、しかも、この屈曲先端部分は面積が狭く、屋根材の重合部分は表面平滑な金属製の為、重合部分の下側に挿入した屈曲先端部分が不意に滑ったりし、作業者が狙った位置を引動することができず、屋根材が変形したり破損するだけで刺入固定部材が抜けない場合が往々にしてあるなど、屋根材を屋根下地材から取り外す作業が非常に厄介であるという問題点がある。
【０００６】
本発明者は、前述した問題点に着目し、種々の繰り返し検討を行った結果、極めて商品価値の高い画期的な屋根材取外し装置を開発した。
【課題を解決するための手段】
【０００７】
添付図面を参照して本発明の要旨を説明する。
【０００８】
釘，ビス若しくはネジなどの刺入固定部材20により野地板などの屋根下地材１に設けられた屋根材２を取り外すための屋根材取外し装置であって、握持棒体３の先端部に、前記屋根下地材１に縦設若しくは横設された前記屋根材２の重合部分２ａの下側に挿入する第一面部４及び上側に配設する第二面部５を有し、この第一面部４と第二面部５とは開閉自在に設けられ、この第一面部４と第二面部５を閉じた際には前記屋根材２の重合部分２ａが該第一面部４及び第二面部５により挟持されるように構成されており、更に、この第一面部４と第二面部５とを開放方向に付勢する付勢部６が設けられ、前記第一面部４と前記第二面部５とで前記屋根材２の重合部分２ａを挟持し、前記握持棒体３をテコ作動させて当該屋根材２を前記屋根下地材１から引き離すことで、前記刺入固定部材20を前記屋根下地材１から引き抜きながら前記屋根材２を当該屋根下地材１から取り外すことができるように構成されていることを特徴とする屋根材取外し装置に係るものである。
【０００９】
また、請求項１記載の屋根材取外し装置において、前記屋根材２の重合部分２ａは、前記屋根材２の所定位置に形成された折り返し部分であることを特徴とする屋根材取外し装置に係るものである。
【００１０】
また、請求項１，２いずれか１項に記載の屋根材取外し装置において、前記屋根材２は複数枚を連設したものであることを特徴とする屋根材取外し装置に係るものである。
【００１１】
また、請求項１〜３いずれか１項に記載の屋根材取外し装置において、前記第一面部４は板状体で構成されており、この第一面部４の前端縁部は先鋭形状に設けられていることを特徴とする屋根材取外し装置に係るものである。
【００１２】
また、請求項１〜４いずれか１項に記載の屋根材取外し装置において、前記第二面部５の前記第一面部４と対向する面には突起部７が設けられていることを特徴とする屋根材取外し装置に係るものである。
【００１３】
また、請求項１〜５いずれか１項に記載の屋根材取外し装置において、前記第二面部５は前記第一面部４に枢着されており、また、前記第一面部４は前記握持棒体３に枢着されており、前記握持棒体３には、前記第一面部４に対して前記握持棒体３を擺動させた際、前記第二面部５を押圧して擺動させ、この第二面部５と前記第一面部４とを閉じ動せしめる押圧部８が設けられていることを特徴とする屋根材取外し装置に係るものである。
【発明の効果】
【００１４】
本発明は上述のように屋根材の重合部分を挟持する構成としたから、前述した従来例と異なり、屋根材の重合部分の狙った位置を確実に屋根下地材から引き離すことができる為、刺入固定部材を屋根下地材から良好に引き抜くことができ、従って、屋根材を屋根下地材から取り外す作業が良好に行えることになる。しかも、本発明は、屋根材の重合部分に対する挟持状態が簡易且つ確実に得られる為、屋根材を屋根下地材から取り外す作業が極めて簡易且つ迅速に行うことができるなど、極めて商品価値の高い画期的な屋根材取外し装置となる。
【図面の簡単な説明】
【００１５】
【図１】本実施例の使用状態説明図である。
【図２】本実施例の要部の拡大斜視図である。
【図３】本実施例の要部の拡大斜視図である。
【図４】本実施例の要部の説明断面図である。
【図５】本実施例の要部の動作説明図である。
【図６】本実施例の要部の動作説明図である。
【図７】本実施例の要部の動作説明図である。
【発明を実施するための形態】
【００１６】
好適と考える本発明の実施形態を、図面に基づいて本発明の作用を示して簡単に説明する。
【００１７】
屋根材２を屋根下地材１から取り外す際、例えば屋根材２の重合部分２ａの下側に第一面部４を挿入するとともに、この屋根材２の重合部分２ａの上側に第二面部５を配設して、この第一面部４と第二面部５とで屋根材２の重合部分２ａを挟持し、この状態で握持棒体３をテコ作動させて屋根材２を屋根下地材１から引き離すと、刺入固定部材20は屋根下地材１から引き抜かれ、そのまま屋根材２は屋根下地材１から取り外される。
【００１８】
従って、本発明は、屋根材２の重合部分２ａを上下から挟持する構造を採用することで、前述した従来例と異なり、屋根材２の重合部分２ａの狙った位置を確実に屋根下地材１から引き離すことができる為、刺入固定部材20を屋根下地材１から良好に引き抜くことができ、屋根材２を屋根下地材１から取り外す作業が良好に行えることになる。
【００１９】
また、本発明は、第一面部４と第二面部５とは開閉自在に設けられており、第一面部４と第二面部５とを開放方向に付勢する付勢部６が設けられているから、屋根材２の重合部分２ａの下側に第一面部４を挿入することと、屋根材２の重合部分２ａの上側に第二面部５を配設することが簡易且つ確実に行える為、屋根材２を屋根下地材１から取り外す作業を極めて簡易且つ迅速に行うことができる。
【実施例】
【００２０】
本発明の具体的な実施例について図面に基づいて説明する。
【００２１】
本実施例は、釘，ビス若しくはネジなどの刺入固定部材20により野地板などの屋根下地材１に設けられた屋根材２を取り外すための屋根材取外し装置であって、握持棒体３の先端部に、屋根下地材１に縦設若しくは横設された屋根材２の重合部分２ａの下側に挿入する第一面部４及び上側に配設する第二面部５を有したものである。
【００２２】
本実施例では、屋根材２の重合部分２ａとして、屋根材２（横噴き屋根材）の所定位置に折り返し形成された重合部分を採用しており、この重合部分２ａは、上下に隣接する屋根材２同士を係止連結する為のものであり、この重合部分２の先端部位及び屋根下地材１に刺入固定部材20を刺して屋根材２は屋根下地材１に取り付けられている。尚、重合部分２ａは互いに重合状態で連結する屋根材２同士の端部でも良く、また、屋根材２は一枚物でも良い。
【００２３】
具体的には、握持棒体３は、図１〜３に図示したように適宜な金属製の部材で形成したものであり、基端部分には樹脂製のグリップ部材を被嵌して成る握持部３’が設けられ、先端部分には後述する第一面部４に枢着する連結部３”が設けられている。
【００２４】
連結部３”は、図２，３に図示したように握持棒体３の長さ方向に垂設される左右側板部３ａ，３ｂを有し、この左右側板部３ａ，３ｂ同士間には枢着軸10が架設されている。
【００２５】
この枢着軸10は、後述する第一面部４の左右壁板４ａ，４ｂ同士間に回転自在に軸支されるもので、この枢着軸10を介して握持棒体３は第一面部４に擺動自在に枢着連結されている。
【００２６】
また、左右側板部３ａ，３ｂの後端部分同士間には軸状部８が設けられ、この軸状部８は、第一面部４に対して握持棒体３を擺動させた際、第二面部５を押圧して第一面部４に対して擺動させることで第一面部４と第二面部５と閉じ動せしめる押圧部８として構成されている。
【００２７】
第一面部４は、図２〜４に図示したように適宜な金属製の部材で形成した板状体であり、この第一面部４の前端縁部は先鋭形状に形成されている。
【００２８】
従って、第一面部４は、この先鋭の前端縁部を挿入先端として屋根材２の重合部分２ａの下側に対して円滑に挿入することができる。
【００２９】
また、第一面部４の上面部の左右対向位置に壁板４ａ，４ｂが立設されており、この左右の壁板４ａ，４ｂの前端部同士間には前述した握持棒体３の先端部が枢着軸10を介して枢着連結され、更に、壁板４ａ，４ｂの後端部同士間には後述する第二面部５が枢着連結されている。
【００３０】
また、第一面部４の上面部の先端部位は、屋根材２の重合部分２ａの下側に挿入して当接する第一当接面部４’として構成されている。
【００３１】
また、第一面部４には、第一当接面部４’にテーパー状に開口する左右一対の貫通孔４ｃが設けられ、この各貫通孔４ｃは後述する第二面部５の突起部７を受ける受け凹部として構成されている。
【００３２】
また、第一面部４の上面部中央位置には、後述する付勢部６としてのバネ体６の一端部を支持する凸部４ｄが設けられている。
【００３３】
また、第一面部４の下面部後端側位置には３つの突起部11が設けられている。
【００３４】
この突起部11は、先端先鋭部を有し、屋根材２の取外し作業の際、例えば屋根材２の上面に食い込むことで第一面部４と第二面部５とによる堅固な挟持状態を得ることができる。
【００３５】
第二面部５は、図２〜４に図示したように適宜な金属製の部材で形成した板状体であり、その後端部は第一面部４の壁板４ａ，４ｂの後端部同士間に枢着軸13を介して枢着連結されている。
【００３６】
従って、第二面部５は第一面部４に対して開閉自在となる。
【００３７】
また、第二面部５の下面部の前端部位は、屋根材２の重合部分２ａの上側に配設して当接する第二当接面部５’として構成されている。
【００３８】
また、第二面部５の下面部の前端部位にして第二当接面部５’には左右一対の突起部７が設けられている。
【００３９】
この突起部７は、先端先鋭部を有し、屋根材２の取外し作業の際、例えば屋根材２の重合部分２ａに食い込むことで第一面部４と第二面部５とによる堅固な挟持状態を得ることができる。
【００４０】
また、第二面部５の上面部の後端部位には、握持棒体３の押圧部８を包持した状態で支持する支持板12が設けられており、この支持板12により常に第一面部４に対して押圧部８が当接した状態が得られることになる。
【００４１】
また、第二面部５の下面部中央位置には、付勢部６としてのバネ体６の他端部を支持する凸部５ｂが設けられている。
【００４２】
従って、第一面部４と第二面部５とは付勢部６の付勢により常時開放方向に付勢されている。
【００４３】
本実施例は上述のように構成したから、屋根材２を屋根下地材１から取り外す際、例えば屋根材２の重合部分２ａの下側に第一面部４を挿入するとともに、屋根材２の重合部分２ａの上側に第二面部５を配設して、この第一面部４と第二面部５とで屋根材２の重合部分２ａを挟持する（図５，６参照）。
【００４４】
続いて、この状態で握持棒体３をテコ作動させて屋根材２を屋根下地材１から引き離すと、刺入固定部材20は屋根下地材１から引き抜かれ、そのまま屋根材２は屋根下地材１から取り外される（図７参照）。
【００４５】
よって、本実施例によれば、屋根材２の重合部分２ａを上下から挟持する構造を採用することで、前述した従来例と異なり、屋根材２の重合部分２ａの狙った部位を確実に引くことができる為、刺入固定部材20を屋根下地材１から良好に引き抜くことができて屋根材２を屋根下地材１から取り外す作業が良好に行えることになる。
【００４６】
また、本実施例は、第一面部４と第二面部５とは開閉自在に設けられており、第一面部４と第二面部５とを開放方向に付勢する付勢部６が設けられているから、屋根材２の重合部分２ａの下側に第一面部４を挿入することと、屋根材２の重合部分２ａの上側に第二面部５を配設させすること、即ち、屋根材２の重合部分２ａに対する挟持状態が簡易且つ確実に得られる為、屋根材２を屋根下地材１から取り外す作業が極めて簡易且つ迅速に行うことができる。
【００４７】
また、本実施例は、第一面部４は板状体で構成され、第一面部４の前端縁部は先鋭形状に設けられているから、第一面部４を屋根材２の重合部分２ａの下側に挿入する操作が迅速且つ確実に行えることになる。
【００４８】
また、本実施例は、屋根材２に当接する第二面部５の第二当接面部５’には突起部７が設けられているから、第一面部４と第二面部５とにおける屋根材２の重合部分２ａに対する堅固な挟持が得られることになる。
【００４９】
また、本実施例は、第一面部４に第二面部５を枢着するとともに、第一面部４に握持棒体３を枢着し、第一面部４に対して握持棒体３を擺動させた際、第二面部５を押圧して第一面部４に対して擺動させることで第一面部４と第二面部５とを閉じ動せしめる押圧部８を握持棒体３に設けたから、握持棒体３と第一面部４と第二面部５とがリンクした連結となり、第一面部４と第二面部５とにおける屋根材２の重合部分２ａに対する強い挟持力が得られることになる。
【００５０】
尚、本発明は、本実施例に限られるものではなく、各構成要件の具体的構成は適宜設計し得るものである。
【符号の説明】
【００５１】
１  屋根下地材
２  屋根材
２ａ  重合部分
３  握持棒体
４  第一面部
５  第二面部
６  付勢部
７  突起部
８  押圧部
20  刺入固定部材
【図１】
2015040419.tif 000003
【図２】
2015040419.tif 000004
【図３】
2015040419.tif 000005
【図４】
2015040419.tif 000006
【図５】
2015040419.tif 000007
【図６】
2015040419.tif 000008
【図７】
2015040419.tif 000009